(57)【特許請求の範囲】
【請求項１】
小魚を模して形成したボディの前部にリップを具え、ボディまたはリップに具えたラインアイに接続されるラインを引くことにより、前記リップの作用によってボディを水中に潜行させるルアーにおいて、前記リップの先端部には感知片を具えるものであり、且つこの感知片と前記ラインアイとを伝達ロッドによって連結したことを特徴とする接底感度を増したルアー。
【請求項２】
前記ラインアイと伝達ロッドとは、一本のワイヤを曲げ加工して成るものであることを特徴とする請求項１記載の接底感度を増したルアー。
【請求項３】
前記感知片は金属素材から成ることを特徴とする請求項１または２記載の接底感度を増したルアー。
【発明の詳細な説明】
【０００１】
【発明の属する技術分野】
本発明はルアーに関するものであって、特にルアーがボトムに接した際の振動をより繊細にアングラーに伝達することのできる、接底感度を増したルアーに係るものである。
【０００２】
【発明の背景】
ブラックバス等の魚を対象としたルアーフィッシングに用いられるルアーの一種に、小魚を模したプラグと呼ばれるものがある。このルアーは図５に示すように、小魚を模して形成したボディ２′の前部にリップ３′を具え、ボディ２′またはリップ３′に具えたラインアイ４′に接続されるラインＬを引くことにより、前記リップ３′の作用によってボディ２′を水中に潜行させるものである。一般的に前記リップ３′が長いほどルアー１′は深く潜行するものであり、アングラーは狙ったレンジに見合ったリップ３′を有するルアー１′を選択することとなる。
【０００３】
そしてボトムＢに近いレンジをトレースする場合には、餌をつい食む小魚を模すために、リトリーブやジャークによってルアー１′を潜行させて積極的にボトムＢに接底させることがある。
このときアングラーは、ラインＬを通じてロッドに伝わる振動や負荷から、ルアー１′がボトムＢに接底したことを感知するものであるが、ルアー１′が位置する個所は水深４ｍ以深となる場合もあるため、アングラーに伝わる振動や負荷は微細であり、更にリップ３′によって吸収されて減衰してしまうため感知しにくいものであった。
またルアー１′がボトムＢに接底しているにもかかわらず、更にリトリーブやジャークを行うとリップ２′を損傷させてしまうこともあった。
【０００４】
【開発を試みた技術課題】
本発明はこのような背景を認識して成されたものであり、ルアーがボトムに接した際の振動をより繊細にアングラーに伝達することのできる、新規な接底感度を増したルアーを開発することを技術課題としたものである。
【０００５】
【課題を解決するための手段】
すなわち請求項１記載の接底感度を増したルアーは、小魚を模して形成したボディの前部にリップを具え、ボディまたはリップに具えたラインアイに接続されるラインを引くことにより、前記リップの作用によってボディを水中に潜行させるルアーにおいて、前記リップの先端部には感知片を具えるものであり、且つこの感知片と前記ラインアイとを伝達ロッドによって連結したことを特徴として成るものである。
この発明によれば、感知片とボトムとの接触によって発生した振動は、伝達ロッド及びラインアイを通じてダイレクトにラインに伝わるため、リップによって吸収されて減衰してしまうことがない。このためアングラーはラインを通じてルアーが接底したことを感知することができる。
【０００６】
また請求項２記載の接底感度を増したルアーは、前記要件に加え、前記ラインアイと伝達ロッドとは、一本のワイヤを曲げ加工して成るものであることを特徴として成るものである。
この発明によれば、従来よりワイヤを曲げ加工して形成していたラインアイと、ほぼ同じ工程でラインアイと伝達ロッドとを形成することができるため、格別製造コストを上昇させてしまうことがない。
【０００７】
更にまた請求項３記載の接底感度を増したルアーは、前記要件に加え、前記感知片は金属素材から成ることを特徴として成るものである。
この発明によれば、ルアーが接底した際に生じる振動をより繊細にアングラーに伝達することができる。また感知片によってリップを保護し、リップの損傷を回避することができる。
そしてこれら各請求項記載の発明の構成を手段として前記課題の解決が図られる。
【０００８】
【発明の実施の形態】
以下本発明の接底感度を増したルアーについて、図示の実施の形態に基づいて具体的に説明する。
図中符号１で示すものがルアー１であり、このものは合成樹脂あるいは木材等により小魚を模して形成したボディ２に対し、その前部にリップ３を具えるとともにこのリップ３にラインアイ４を具えて成る。また前記ボディ２における腹鰭及び尾鰭に相当する個所にフックアイ５を具えるとともに、このフックアイ５にリング６を介在させてフック７を具える。また前記リップ３の先端部には感知片８を具えるものである。
そして前記ラインアイ４に接続されるラインＬを引くことにより、前記リップ３の作用によってボディ２が水中に潜行するものである。
以下これらルアー１を構成する諸部材について詳しく説明する。
【０００９】
まず前記ボディ２は図２に示すように、一例として樹脂成形された左右対称の右側片２Ｒと、左側片２Ｌとを接合し、適宜超音波溶着等によって貼り合わせて成る小魚形状の中空部材であり、外面に適宜装飾を施して小魚の魚体を模したものである。
そしてボディ２の頭部、下顎付近に相当する個所には、水に対する抵抗板であるリップ３を一体成形するものである。なおこのリップ３の大きさが大きいほど水の抵抗が大きくなるため、ルアー１は深く潜行するものである。
なおこの実施の形態では、ボディ２をクランクベイトタイプのものとしたが、ミノータイプのものとすることもできる。
【００１０】
そして前記ボディ２内に適宜リブを設けることによりウェイト収容部２０、２１を形成する。またボディ２における腹鰭及び尾鰭に相当する個所にフックアイ５を係止するためのフックアイ係止片２２を形成する。
更にまた前記リップ３の接合面には、後述するラインアイ４及び伝達ロッド９を収容するための溝３０を形成する。
【００１１】
ここで前記ラインアイ４、感知片８及び伝達ロッド９について説明する。この実施の形態ではこれらラインアイ４、感知片８及び伝達ロッド９を一体化するものであり、まずラインアイ４と伝達ロッド９とを、図２に示すように一本のワイヤを曲げ加工して形成する。更にこの実施の形態では感知片８を金属製の小球とするものであり、この感知片８を伝達ロッド９の先端に溶接等の手段によって固定する。なお前記ラインアイ４と伝達ロッド９とを別部材として形成し、これらを一体化するようにしてもよい。
【００１２】
また前記感知片８の形状については、図３（ａ）に示すようにリップ３の外形に馴染んだ形状のものとしたり、図３（ｂ）に示すようにリップ３の先端個所の一部を形成するようなものすることができる。更に図３（ｃ）に示すように、伝達ロッド９をリップ３の先端から突出させ、この突出部分を感知片８とすることもできる。
またこの実施の形態では、感知片８を金属素材から成るものとしたが、ある程度の硬度を持ったものであれば、振動を吸収することなく効率よく伝達ロッド９に伝達することができるため、セラミックス、ガラス等適宜の素材を適用することもできる。
【００１３】
そしてこれら部材を組み合わせてルアー１を構成するものであり、ウェイト収容部２０、２１にウェイト１０を入れ、またフックアイ係止片２２にフックアイ５を係止し、更にまた溝３０に対して前記ラインアイ４及び感知片８を嵌めた状態で右側片２Ｒと左側片２Ｌとを接合し、接着剤あるいは超音波溶着により貼り合わせる。
【００１４】
続いて前記フックアイ５に対してリング６を装着し、このリング６に対して一例として針を３本有したフック７を装着することにより、ルアー１が構成される。また実際の使用時にはラインアイ４にラインＬを結び付けるのであるが、ラインＬの撚れを防ぐために撚り戻しを一体的に具えたスイベルＳを介在させるのが好ましく、これによりルアー１の交換も容易に行うことができる。
【００１５】
本発明の接底感度を増したルアー１は以上述べたような具体的な構成を有するものであり、以下このものの使用態様について説明する。
まず事前の準備としてロッドＲにリールを装着し、ラインＬの先端にスイベルＳを結び付けるとともに、このスイベルＳをラインアイ４に引っ掛けてしっかりとロックする。
そしてアングラーＡは、狙ったポイントにルアー１をキャスティングし、リールを巻いて（リトリーブ）ルアー１を所望のレンジ（階層）に潜行させるものであり、リトリーブの停止や、ジャーク（ロッドＲを使って鋭くルアー１を引く動作）を行ってルアー１に小魚に近い動きを与える。
【００１６】
この際、ボトムＢに近いレンジをトレースする場合には、図４に示すように、餌をつい食む小魚を模すために、ルアー１を積極的にボトムＢに接底させることがある。具体的にはリトリーブまたはジャークを行ってルアー１を潜行させてボトムＢに接底させるものであり、ルアー１が接底したらリトリーブまたはジャークを停止し、ルアー１を若干浮上させ、続いてリトリーブまたはジャークを行うものである。
このとき本発明のルアー１によれば、感知片８とボトムＢとの接触によって発生した振動が、伝達ロッド９及びラインアイ４を通じてダイレクトにラインＬに伝わるため、リップ３によって吸収されて減衰してしまうことがない。このためアングラーＡはラインＬを通じてルアー１が接底したことを敏感に感知することができ、過剰なリトリーブまたはジャークを排除することができ、ルアー１の動きを繊細に演出することができるものである。また過剰なリトリーブまたはジャークによってリップ３が破損してしまうのを避けることもできる。
【００１７】
因みに従来のルアー１′を用いた場合には、ルアー１′が接底したことを感知することができずに、アングラーＡは過剰なリトリーブまたはジャークを行ってルアー１′の動きを不自然なものとしてしまったり、リップ３′を破損してしまうことがあった。
【００１８】
【発明の効果】
本発明によれば、ルアー１がボトムに接した際の振動をより繊細にアングラーＡに伝達することができるため、これを感知したアングラーＡはルアー１の動きを繊細に演出することができる。また過剰なリトリーブまたはジャークによってリップ３が破損してしまうのを避けることもできる。この結果、良好な釣果が期待できるものであり、ルアー１の商品価値を高めることができる。
【図面の簡単な説明】
【図１】本発明のルアーの使用状態を示す概念図である。
【図２】本発明のルアーを示す側面図並びに分解平面図である。
【図３】感知片の形状例を示す複数の斜視図である。
【図４】ボトムに接底するルアーの様子を示す側面図である。
【図５】従来のルアーがボトムに接底する様子を示す側面図である。
【符号の説明】
１    ルアー
２    ボディ
２Ｌ  左側片
２Ｒ  右側片
２０  ウェイト収容部
２１  ウェイト収容部
２２  フックアイ係止片
３    リップ
３０  溝
４    ラインアイ
５    フックアイ
６    リング
７    フック
８    感知片
９    伝達ロッド
１０  ウェイト
Ａ    アングラー
Ｂ    ボトム
Ｌ    ライン
Ｒ    ロッド
Ｓ    スイベル
【図１】
0003903279.tif 000002
【図２】
0003903279.tif 000003
【図３】
0003903279.tif 000004
【図４】
0003903279.tif 000005
【図５】
0003903279.tif 000006